(57)【要約】【課題】容器体Ｂと、該容器体に固定した固定吸引部C1より上下動可能に作動噴出部C2を突出したポンプＣとからなるポンプ容器に装着して、陳列時等の悪戯を防止できるとともに、収納物の未使用を表現できて商品の信頼性を向上し、また、構造も極めて簡単で安価に製造できる封緘体を提案する。【解決手段】作動噴出部C2を構成する噴出ヘッド８の筒状ノズル７先端に嵌着したノズルプラグ40と、前記固定吸引部C1又は容器体口頸部６外周に抜け出しを防止して嵌着した環状基部41と、ノズルプラグと環状基部とを連結する連結帯42とを備え、ノズルプラグと連結帯とを、ノズルプラグの取り外しの際に破断する折曲破断部43を介して連結した。【選択図】図１
2005313949.tif 000002
【特許請求の範囲】
【請求項１】
容器体Ｂに固定した固定吸引部C1と、該固定吸引部C1より上下動可能に突出するとともに、側方へ筒状ノズル７を突設した噴出ヘッド８を有する作動噴出部C2とからなるポンプＣを備えたポンプ容器に装着する封緘体であって、前記ノズル７先端に嵌着したノズルプラグ40と、前記固定吸引部外周又は前記容器体の口頸部６外周に抜け出しを防止して嵌着した環状基部41と、前記ノズルプラグと前記環状基部とを連結する連結帯42とを備え、前記ノズルプラグは前記ノズルの開口縁を支点として強制回動させて取り外す如く構成するとともに、前記ノズルプラグと前記連結帯とを、前記ノズルプラグの取り外しの際に破断する折曲破断部43を介して連結したことを特徴とする封緘体。
【請求項２】
前記ノズルプラグ40が、前記ノズル７先端面に当接するフランジ部40a を外周より突設した栓部40b を前記ノズル７内に嵌入させ、且つ、前記フランジ部40a より外方へ摘み片40c を突設して構成してなる請求項１記載の封緘体。
【請求項３】
前記摘み片40c 突設位置と対向位置の前記フランジ部40a 縁部に前記折曲破断部43を介して前記連結帯42を連結してなる請求項２記載の封緘体。
【請求項４】
前記環状基部41と前記連結帯42とを連結帯除去用破断部44を介して連結してなる請求項１記載の封緘体。
【発明の詳細な説明】
【技術分野】
【０００１】
本発明は封緘体に関し、詳しくは、ポンプ容器に装着してその未使用を表現する封緘体に関する。
【背景技術】
【０００２】
ポンプ容器として、シリンダや吸い上げパイプ等を備えた固定吸引部と、シリンダ内を摺動するピストンやノズル付きの噴出ヘッドを備えた可動噴出部とからなるポンプを、容器体に装着したものが知られている。これらは、容器体に固定吸引部を固定し、固定吸引部に対する可動噴出部の上下動により容器体内の液を吸い上げてヘッドの噴出口より噴出する如く構成している（例えば、特許文献１参照）。
【０００３】
上記特許文献１のポンプ容器は、シリンダ状のポンプ本体と、該ポンプ本体内に往復移動自在に挿入されるピストンと、該ピストンから上方に延びるステムと、前記ポンプ本体の上端部を閉塞しかつステムが往復移動自在に挿通されるガイド穴を有するアッパキャップと、ステム上端に接続されるエジェクタヘッドと、該エジェクタヘッドに設けたステムを通じてポンプ本体内部に連通する吐出ノズルと、ポンプ本体を容器に装着し保持するコンテナキャップとを備え、アッパキャップの外側面に雄ネジを設けてエジェクタヘッド内周面の雌ネジとネジ嵌合してエジェクタヘッドを押し下げ状態に保持可能としている。
【特許文献１】特開２００３−２３７８１０号公報
【発明の開示】
【発明が解決しようとする課題】
【０００４】
この種のポンプ容器では、上記した如くヘッド押し下げ状態により保持可能であるため、不用意なポンプの作動或いはそれに伴う液の漏出を防止でき、従って、そのままの状態で流通，販売されるケースも多々ある。
【０００５】
しかしながら、陳列時に悪戯によりヘッドを螺脱してしまう等の不都合を生じる虞れはある。そこで、本発明では、これらの悪戯を回避でき、ポンプの未使用を一見して判断できて商品の信頼性を高め、また、その構造も簡単な封緘体を提案する。
【課題を解決するための手段】
【０００６】
上記課題を解決するため、第１の手段として、容器体Ｂに固定した固定吸引部C1と、該固定吸引部C1より上下動可能に突出するとともに、側方へ筒状ノズル７を突設した噴出ヘッド８を有する作動噴出部C2とからなるポンプＣを備えたポンプ容器に装着する封緘体であって、前記ノズル７先端に嵌着したノズルプラグ40と、前記固定吸引部外周又は前記容器体の口頸部６外周に抜け出しを防止して嵌着した環状基部41と、前記ノズルプラグと前記環状基部とを連結する連結帯42とを備え、前記ノズルプラグは前記ノズルの開口縁を支点として強制回動させて取り外す如く構成するとともに、前記ノズルプラグと前記連結帯とを、前記ノズルプラグの取り外しの際に破断する折曲破断部43を介して連結したことを特徴とする。
【０００７】
第２の手段として、前記第１の手段に於いて、前記ノズルプラグ40が、前記ノズル７先端面に当接するフランジ部40a を外周より突設した栓部40b を前記ノズル７内に嵌入させ、且つ、前記フランジ部40a より外方へ摘み片40c を突設して構成した。
【０００８】
第３の手段として、前記第２の手段に於いて、前記摘み片40c 突設位置と対向位置の前記フランジ部40a 縁部に前記折曲破断部43を介して前記連結帯42を連結した。
【０００９】
第４の手段として、前記第１の手段に於いて、前記環状基部41と前記連結帯42とを連結帯除去用破断部44を介して連結した。
【発明の効果】
【００１０】
本発明の第１の手段の封緘体は、ノズルプラグ40を外さない限り作動噴出部C2の作動を防止するため悪戯の防止を図れ、また、ポンプが未開封であることを明瞭に告知できて商品の信頼性を高めて商品価値を向上させる。また、開封の際にはノズルプラグ40をノズル７から外す行為により折曲破断部43が破断されて開封されるため、その操作も極めて容易である。更に構造も簡単で、合成樹脂により一体に形成することができ、製造も容易で安価に得られる利点もある。
【００１１】
また、前記ノズルプラグ40として、ノズル７先端面に当接するフランジ部40a を外周より突設した栓部40b を前記ノズル７内に嵌入させ、且つ、前記フランジ部40a より外方へ摘み片40c を突設したものにあっては、栓部40b を抜き出す際に摘み片40c をもって摘み片40c と対向位置を支点として回動させつつ強制的に抜き出すため、折曲破断部43が確実に屈曲して破断され、特に、摘み片40c 突設位置と対向位置に折曲破断部43を介して連結帯42を連結したものではその効果がより顕著となる。
【００１２】
また、前記環状基部41と前記連結帯42とを連結帯除去用破断部44を介して連結した場合には、開封後に環状基部41と連結状態の連結帯42を除去できるため、外観上も使用上もより好ましくなる。
【発明を実施するための最良の形態】
【００１３】
以下、本発明の実施例の形態を図面を参照して説明する。
【００１４】
本発明の封緘体Ａは、容器体ＢにポンプＣを固定したポンプ容器１に装着させたもので、合成樹脂により一体に形成される。
【００１５】
容器体Ｂは筒状の胴部４より肩部５を介して口頸部６を起立している。
【００１６】
ポンプＣは、容器体Ｂに固定した固定吸引部C1より上方付勢状態で押し下げ可能に作動噴出部C2を突出したもので、作動噴出部C2の上下動で容器体Ｂ内の液を固定吸引部C1内に吸い上げ、作動噴出部C2より噴出する如く構成し、作動噴出部C2は上端に、側方にノズル７を突設した噴出ヘッド８を備えている。
【００１７】
図示例に於いて固定吸引部C1は、シリンダ９、装着キャップ10、吸い上げパイプ11及び補助キャップ12を備えている。
【００１８】
シリンダ９は上部外周よりフランジ13を突設した筒状をなすとともに、フランジ13を容器体Ｂの口頸部６上面に載置させて下部を容器体Ｂ内へ垂下させている。また、このシリンダ９を口頸部６に嵌合させた装着キャップ10により容器体Ｂに固定している。装着キャップ10は口頸部６外周に嵌合した周壁14の上端縁より延設したフランジ状頂壁15をシリンダ９の上記フランジ13上面に延設し、該フランジ状頂壁15と口頸部６上面との間にフランジ13を挟持する如く構成している。尚、図中16はパッキンを示す。
【００１９】
また、装着キャップ10は、容器体Ｂに対して未使用を表現するバージンシール機能を備えている。該機能は、周壁14の下端縁に切断部17を介して係止筒18を垂設し、この係止筒18内面を容器体Ｂ外面に凹凸係合手段を介して抜け出し不能に乗り越え係合させている。従って、装着キャップ10を容器体Ｂから取り外そうと螺動させると切断部17が破断して係止筒18が装着キャップ10と分離し、開封状態が一目瞭然となる。切断部17の形態としては種々の形態を採用でき、連結部分を薄肉に形成したり、或いはミシン目を施したり、或いは複数の棒状の連結片で連結する等の公知の易切断性形態を採用できる。図示例に於いては、容器体Ｂの口頸部６の基端部を大径部6aに形成し、該大径部6aの外周に係止突条19を突設している。一方、装着キャップ周壁14の外周下端部より周方向複数突設した棒状突起で構成される切断部17により連結した大径の係止筒18を垂設しており、係止筒18の内周下端部に突設した係合突条20を前記係止突条19に乗り越え係合させている。
【００２０】
尚、上記バージンシール機構は封緘体Ａを装着したポンプ容器１全体の未使用を表現する上で、封緘体Ａのバージンシール性とともに必要な機構であるが、本発明の封緘体Ａを使用するポンプ容器として、その具体的構成は上記のものを採用したものに限らず、本件発明の封緘体Ａが装着可能な状況であれば他のバージンシール機構を採用したポンプ容器であっても対応でき、また、バージンシール機構に代えて、例えば容器体に対し装着キャップを係合強度の強いアンダーカット係合により抜け出しを防止する如く構成したものであってもその目的は達成できるものである。
【００２１】
補助キャップ12は、シリンダ９の上端に嵌着固定したもので、シリンダ９内周に嵌合させた案内筒21の外周より下面をシリンダ９上面に当接させてその外方へ突設した頂板22を延設し、該頂板22裏面より垂設した嵌合筒23をシリンダ９外周上面に凹凸係合手段を介して抜け出し不能に嵌合させ、また、頂板22の外周縁からは上記装着キャップ10のフランジ状頂壁15と所定幅の隙間をあけて外周壁24を垂設している。案内筒21の内周上部には押し下げ状態の作動噴出部C2を係止するための螺条を周設している。更に、シリンダ９内の下端部には吸込み弁25を設けており、その下方には前記吸い上げパイプ11の上端を嵌着し、容器体Ｂ内下部に下端を垂下させている。
【００２２】
作動噴出部C2は、前記した如く固定吸引部C1に対して上方付勢状態で上下動可能に装着したものであり、シリンダ９内周を摺動可能に嵌合させた環状ピストン26をステム27の下部外周に連繋させ、ステム27の上端に前記噴出ヘッド８を嵌着している。前記環状ピストン26はその内周縁をステム27に対して所定幅の上下動が可能に嵌合させており、ステム27の上下動に伴いステム27に穿設した弁口28を開閉する吐出弁29の弁体の役割も兼用している。
【００２３】
噴出ヘッド８は作動噴出部C2の上端部を構成するとともに、側方に前記ノズル７を突設し、また、ステム27内とノズル７とを連結する流路を備えている。具体的には、ステム27上端部に嵌着させた縦筒30を頂壁部31より垂設し、頂壁部31周縁部より周壁部32を垂設している。更に、縦筒30上端に基端を開口し、周壁部32を貫通して前記ノズル７を突設している。作動噴出部C2の上方付勢手段としては種々採用できるが、図示例では作動噴出部C2の下方にコイルスプリング33を介在させている。また、作動噴出部C2はその押し下げ状態で固定吸引部C1に係止可能に構成しており、具体的には噴出ヘッド８の縦筒30外周を上記補助キャップ12の案内筒21内周に螺着可能に構成している。
【００２４】
本発明に於いて封緘体Ａは、ノズルプラグ40と、環状基部41と、連結帯42とから構成している。
【００２５】
ノズルプラグ40は、ノズル７先端に嵌着したもので、ノズル７の開口縁を支点として強制回動させて取り外す如く構成している。この様に構成することにより、連結帯42との間の後述する折曲破断部を屈曲させて破断させることができる。図示例では、ノズル７先端面に当接するフランジ部40a を前部外周より突設した棒状の栓部40b をノズル７内に嵌入し、また、フランジ部40a の上部より上方へ摘み片40c を突設している。従って、摘み片40c を掴んで栓部40b を抜き出そうとすれば、合成樹脂製の栓部40b が弾性変形しつつ摘み片40c と対向位置のノズル７開口縁を支点として回動する如く抜き出される。
【００２６】
環状基部41は固定吸引部C1外周或いは容器体Ｂの口頸部６外周に抜け出しを防止して嵌着する。図示例では、上記装着キャップ10と、補助キャップ12との間の隙間ｄに於いて、内周縁を前記嵌合筒23外周に嵌合させている。従って、装着する際には、例えば補助キャップ12をシリンダ９に打設する前に嵌合筒23外周に環状基部41を遊嵌させ、しかる後シリンダ９に補助キャップ12を打設することにより、両者間に環状基部41を装着することができる。環状基部41は図示例の如く完全な環状のものに限らず、開環状のもの、例えば平面視Ｃ字形状のものも採用できる。
【００２７】
連結帯42はノズルプラグ40と環状基部41とを連結するものであり、また、ノズルプラグ40の取り外しの際に破断する折曲破断部43を介してノズルプラグ40と連結している。折曲破断部43がノズルプラグの取り外しの際に破断する条件としては、ノズルプラグ40の取り外しの際に折曲破断部43が屈曲される如く構成すると良く、上記の如きノズルプラグ40の構成が好ましく採用される。図示例に於いて連結帯42は、環状基部41前部より前方へ水平に延びる水平板部42a 先端より斜め上方に傾斜板部42b を延設し、傾斜板部42b の先端を折曲破断部43を介してノズルプラグ40のフランジ部40a 下縁に連結している。また、連結帯42と環状基部41との連結部位にも同様形態の連結帯除去用破断部44を設けている。折曲破断部43及び連結帯除去用破断部44の形態は種々採用でき、薄肉に形成しても、或いは、複数の易破断性の連結片により連結したものであっても良い。また、折曲破断部43の形成位置としては、上記ノズルプラグ40の摘み片40c と対向位置に設けるとより効率のよい破断が行える。
【００２８】
上記の如く構成した封緘体Ａをポンプ容器に装着する場合は、図１に示す如き作動噴出部C2を押し下げ係止した状態のポンプ容器１に封緘体Ａを装着する。この場合、打設前の補助キャップ12に環状基部41を嵌合させ、しかる後装着キャップ10を嵌合させたシリンダ９に打設する。次いで、作動噴出部C2を押し下げて螺着した後、ノズルプラグ40をノズル７の先端部に嵌着する。この際、折曲破断部43に負担が掛からないように連結帯42を弾性変形させて嵌着する。或いは、別法として、打設前の補助キャップ12に作動噴出部C2を螺着させておき、その状態でノズル７にノズルプラグ40を嵌着しつつ補助キャップ12に環状基部41を嵌合させ、しかる後装着キャップ10を嵌合させたシリンダ９に打設する。
【００２９】
また、開封する場合には、摘み片40c を掴んでその対向側へ回動させる如く栓部40b を引き抜けば折曲破断部43が屈曲破断する。次いで、連結帯除去用破断部44を破断して連結帯42を除去して使用する。
【００３０】
図４は他の実施形態を示すもので、環状基部41を容器体Ｂの口頸部６外周に抜け出しを防止して嵌着した例を示す。この場合には、図１の例に於いて、係止筒18下方の容器体口頸部６の大径部6a外周に環状基部41を嵌着させ、環状基部41前部に連結帯除去用破断部44を介して連結帯42を延設している。連結帯42は小幅の水平板部42a 先端より斜め上方へ傾斜板部42b を延設し、折曲破断部43を介してノズルプラグ40と連結している。ノズルプラグ40及びその他ポンプ容器の構成は図１の実施形態のものと同様である。また、その作用も実質的に図１の例と同様である。
【図面の簡単な説明】
【００３１】
【図１】本発明封緘体をポンプ容器に装着した状態の半断面図である。（実施例１）
【図２】本発明封緘体の斜視図である。（実施例１）
【図３】本発明封緘体をポンプ容器に装着した状態の平面図である。（実施例１）
【図４】本発明封緘体をポンプ容器に装着した状態の半断面図である。（実施例２）
【符号の説明】
【００３２】
６…口頸部，７…ノズル，８…噴出ヘッド，40…ノズルプラグ，40a …フランジ部，    40b …栓部，40c …摘み片，41…環状基部，42…連結帯，43…折曲破断部，
44…連結帯除去用破断部，Ａ…封緘体，Ｂ…容器体，Ｃ…ポンプ，
C1…固定吸引部，C2…作動噴出部
【図１】
2005313949.tif 000003
【図２】
2005313949.tif 000004
【図３】
2005313949.tif 000005
【図４】
2005313949.tif 000006